(57)【要約】  デジタルシリアルバスポートを有するテレビ装置により、ユーザが、テレビ装置のシリアルバスポートを介してテレビ装置に接続されたデジタルシリアルバス準拠の構成要素及びテレビ装置のデジタルチューナのような、ユーザ指定のデジタルコンテンツソース入力からデジタルコンテンツを表示し、ユーザ指定のデジタルコンテンツソースから、デジタルシリアルバスポートを介してテレビ装置に接続されたデジタル記録装置にデジタルコンテンツを連続して記録することが可能になる。本発明は、ＴＶのデジタルチューナであれ、ピア・ツー／ピア構成での他のデジタルシリアルバス準拠の装置であれ、ユーザがデジタル記録装置（例えばＨＤＡＶＶ）にデジタルコンテンツを連続して記録することを可能にする。接続は常に記録中であるが、選択されたコンテンツを表示することに加えて、ユーザがデジタル（すなわちＭＰＥＧ２）ソース（すなわちＴＶチューナ又は他のデジタルシリアルバス準拠の装置）を選択又は指定することを可能にする。
2007511182.tif 000002
【特許請求の範囲】
【請求項１】
デジタルシリアルバスポートを有するテレビ装置を動作する方法であって、
前記デジタルシリアルバスポートを介して前記テレビ装置に接続された指定のビデオ入力ソース装置のユーザ選択を受信し、
前記デジタルシリアルバスポートを介して前記テレビに接続されたデジタル記録装置に対して、前記ユーザ選択に応じて、前記指定のビデオ入力ソース装置からデジタルコンテンツを記録させることを有する方法。
【請求項２】
請求項１に記載の方法であって、
前記デジタルシリアルバスポートは、ＩＥＥＥ１３９４準拠のバスポートを有する方法。
【請求項３】
請求項２に記載の方法であって、
前記デジタル記録装置に対して、前記指定の入力ソース装置としての同調装置のユーザ選択に応じて、前記テレビ装置の同調装置からビデオコンテンツを連続して記録させることを更に有する方法。
【請求項４】
請求項２に記載の方法であって、
前記記録させるステップは、前記指定のビデオ入力ソース装置と前記デジタル記録装置との間にピア・ツー・ピア接続を確立させることを有する方法。
【請求項５】
請求項２に記載の方法であって、
前記受信するステップは、前記デジタルシリアルバスポートを介して前記テレビ装置に接続された複数のデジタルデータ装置のうち１つのユーザ選択を受信することを有する方法。
【請求項６】
請求項１に記載の方法であって、
前記記録させるステップは、前記デジタル記録装置に対して、前記指定の入力ソース装置としての同調装置のユーザ選択に応じて、前記テレビ装置の同調装置からのビデオコンテンツを前記デジタル記録装置の記憶媒体の所定のバッファサイズに連続して記録させることを有する方法。
【請求項７】
請求項１に記載の方法であって、
前記指定のビデオ信号ソース装置としての前記デジタル記録装置のユーザ選択に応じて、前記テレビ装置の前記デジタル記録装置に格納されたビデオコンテンツを表示するステップを更に有する方法。
【請求項８】
テレビ装置のデジタルシリアルバスポートを介して前記テレビ装置に接続された指定のビデオ入力ソース装置のユーザ選択を受信する手段と、
前記デジタルシリアルバスポートを介して前記テレビに接続されたデジタル記録装置に対して、前記ユーザ選択に応じて、前記指定のビデオ入力ソース装置からデジタルコンテンツを記録させる手段と
を有するテレビ装置。
【請求項９】
請求項８に記載のテレビ装置であって、
前記デジタルシリアルバスポートは、ＩＥＥＥ１３９４準拠のバスポートを有するテレビ装置。
【請求項１０】
請求項９に記載のテレビ装置であって、
前記デジタル記録装置に対して、前記指定の入力ソース装置としての同調装置のユーザ選択に応じて、前記テレビ装置の同調装置からビデオコンテンツを連続して記録させる手段を更に有するテレビ装置。
【請求項１１】
請求項９に記載のテレビ装置であって、
前記記録させる手段は、前記指定のビデオ入力ソース装置と前記デジタル記録装置との間にピア・ツー・ピア接続を確立させる手段を有するテレビ装置。
【請求項１２】
請求項９に記載のテレビ装置であって、
前記受信する手段は、前記デジタルシリアルバスポートを介して前記テレビ装置に接続された複数のデジタルデータ装置のうち１つのユーザ選択を受信する手段を有するテレビ装置。
【請求項１３】
請求項８に記載のテレビ装置であって、
前記記録させる手段は、前記デジタル記録装置に対して、前記指定の入力ソース装置としての同調装置のユーザ選択に応じて、前記テレビ装置の同調装置からのビデオコンテンツを前記デジタル記録装置の記憶媒体の所定のバッファサイズに連続して記録させる手段を有するテレビ装置。
【請求項１４】
請求項８に記載のテレビ装置であって、
前記指定のビデオ信号ソース装置としての前記デジタル記録装置のユーザ選択に応じて、前記テレビ装置の前記デジタル記録装置に格納されたビデオコンテンツを表示する手段を更に有するテレビ装置。
【請求項１５】
ＩＥＥＥ１３９４準拠のバスポートを有するテレビ装置を動作する方法であって、
前記ＩＥＥＥ１３９４準拠のバスポートを介して前記テレビ装置に接続された指定のデジタルビデオ入力ソース装置のユーザ選択を受信し、
前記ユーザ選択に応じて、前記テレビ装置の前記指定のデジタルビデオ入力ソース装置からデジタルコンテンツを表示し、
前記ＩＥＥＥ１３９４準拠のバスポートを介して前記テレビ装置に接続されたＩＥＥＥ１３９４準拠の記録装置に対して、前記ユーザ選択に応じて、前記指定のデジタルビデオ入力ソース装置から前記デジタルコンテンツを連続して記録させることを有する方法。
【請求項１６】
請求項１５に記載の方法であって、
前記ＩＥＥＥ１３９４準拠の記録装置に対して、前記指定のデジタル入力ソース装置としてのデジタル同調装置のユーザ選択に応じて、前記テレビ装置のデジタル同調装置からビデオコンテンツを連続して記録させることを更に有する方法。
【請求項１７】
請求項１５に記載の方法であって、
前記記録させるステップは、前記指定のデジタルビデオ入力ソース装置と前記ＩＥＥＥ１３９４準拠の記録装置との間にピア・ツー・ピア接続を確立させることを有する方法。
【請求項１８】
請求項１５に記載の方法であって、
前記受信するステップは、前記ＩＥＥＥ１３９４準拠のバスポートを介して前記テレビ装置に接続された複数のデジタルデータ装置のうち１つのユーザ選択を受信することを有する方法。
【請求項１９】
請求項１５に記載の方法であって、
前記記録させるステップは、前記ＩＥＥＥ１３９４準拠の記録装置に対して、前記指定のデジタル入力ソース装置としてのデジタル同調装置のユーザ選択に応じて、前記テレビ装置のデジタル同調装置からのデジタルビデオコンテンツを前記ＩＥＥＥ１３９４準拠の記録装置の記憶媒体の所定のバッファサイズに連続して記録させることを有する方法。
【請求項２０】
請求項１５に記載の方法であって、
前記指定のデジタルビデオ信号ソース装置としての前記ＩＥＥＥ１３９４準拠の記録装置のユーザ選択に応じて、前記テレビ装置の前記ＩＥＥＥ１３９４準拠の記録装置に格納されたビデオコンテンツを表示するステップを更に有する方法。
【発明の詳細な説明】
【技術分野】
【０００１】
この米国非仮特許出願は、２００３年１１月１０日に出願された“Ｍｅｔｈｏｄ  Ａｎｄ  Ａｐｐａｒａｔｕｓ  Ｆｏｒ  Ｐｒｏｖｉｄｉｎｇ  Ｓｉｍｐｌｉｆｉｅｄ  Ｐｅｅｒ−Ｔｏ−Ｐｅｅｒ  Ｒｅｃｏｒｄｉｎｇ”という題の米国仮特許出願第６０／５１８，８９９の利益を主張し、その内容を援用する。
【０００２】
本発明は、デジタルシリアルバスポートを有するテレビ装置のようなディスプレイ装置のユーザが、テレビ装置に接続された指定のデジタル入力ソースからデジタルコンテンツを選択し、テレビ装置に接続されたデジタル記録装置にデジタルコンテンツを連続して記録することを可能にするテレビ装置及び／又はシステムに関する。
【背景技術】
【０００３】
今日のユーザは、旧式の対応するホームエンターテイメントシステムよりホームエンターテイメントシステムに多くを期待する。長年、ユーザはＶＣＲを介して標準的なアナログ放送を記録することができている。近年、ハードドライブ型システムにより、ユーザがアナログ放送のデジタルコピーを記録することが可能になると共に、記録中にユーザがトラックを再生することが可能になっている。これを行う装置は、現在ではアナログ放送のみを記録するために使用されているが、デジタル放送で同じ機能を有することが望まれる。
【０００４】
デジタル放送は、データをデジタル化する必要がないため、この種類の機能に順応できる。ユーザは、デジタル媒体への高解像度（ＨＤ：ｈｉｇｈ  ｄｅｆｉｎｉｔｉｏｎ）チューナで到達するものの完全なコピーを記録し得る。ＴｉＶｏＴＭ及びＲｅｐｌａｙＴＶＴＭのような装置は、ハードディスクドライブにデータを符号化及び記録することについて知られている。これらのユニットは、パーソナルビデオレコーダ又はＰＶＲの概念を率先し、ユーザが“生ＴＶを一時停止する”ことを可能にする。特に、これらのユニットは、ユーザに一時停止、巻き戻し、早送り、コマ送りをさせ、ユーザが現在視聴しているＴＶ番組で“トリックモード”として一般的に知られる多数の他の機能を選択させる。コンテンツを記録して実際のコンテンツから少なくともわずかに遅れて再生することにより、これを行う。コンテンツが処理されて表示される前に最初にバッファされるため、再生での遅延が生じる。ユーザがショーを巻き戻し又は一時停止すると、再生は現在のＴＶショー（又は生ＴＶ）にかなり遅れ続ける。これらの装置は、ユーザが望む場合には常に生ＴＶに戻るオプションをユーザに提供するが、この場合での“生ＴＶ”の概念は、バックグラウンドで行われている継続的な記録のため、１又は２秒遅延することを意味する。
【０００５】
Ｉｎｄｉａｎａ州のＩｎｄｉａｎａｐｏｌｉｓのＴｈｏｍｓｏｎ，  Ｉｎｃ．により製造されているＤＭ２ＣＲ型製品のような特定のＨＤＴＶ（ｈｉｇｈ  ｄｅｆｉｎｉｔｉｏｎ  ｔｅｌｅｖｉｓｏｎ）により、ユーザがＩＥＥＥ１３９４デジタルシリアルバスのようなデジタルシリアルバスを介して外部ＡＶＨＤＤ（Ａｕｄｉｏ−Ｖｉｄｅｏ  Ｈａｒｄ  Ｄｉｓｋ  Ｄｒｉｖｅ）に接続することが可能になり、ユーザはＰＶＲ形式の機能を得るためにそれを使用することができる。ユーザが何らかの記録を開始しなければならないため（すなわち、ＡＶＨＤＤは常に連続的に全てのコンテンツを記録していない）、これは前述の意味でのＰＶＲではない。また、ＤＭ２ＣＲ  ＨＤＴＶは、ＴＶチューナからのデジタルコンテンツしか記録されることを可能にしない。更に、ユーザは記録を開始及び終了しなければならない。
【０００６】
ＭｉｔｓｕｂｉｓｈｉによるＨＤＴＶの取扱商品は、他のシリアルバス装置への１つのデジタルシリアルバス装置の記録を可能にするが、ユーザがこれらの装置をＰＶＲとして操作することを可能にしない。特に、ユーザはメニューから設定時刻での記録を設定し、テレビがバックグラウンドで記録を開始及び終了する。
【発明の開示】
【発明が解決しようとする課題】
【０００７】
従って、前記のことから、ユーザが本当に望むものは、衛星又はケーブルボックスから、テレビ装置に接続されたハードドライブディスクユニットに直接にデジタルデータを記録する機能であることが明らかである。
【０００８】
また、前記のことから、必要なものは、テレビに接続された何らかのデジタルデータソースから、テレビに接続されたハードディスクドライブ構成要素にデジタルデータの記録を行わせることができるテレビであることも明らかである。
【０００９】
更に、前記のことから、必要なものは、テレビに接続された何らかのデジタルデータソースからハードディスクドライブ構成要素にデジタルデータの記録を行わせ、同時にテレビに表示されることを行わせることができるテレビであることが明らかである。
【００１０】
前記及び他のものは、図示及び／又は記載のような１つ以上の様々な形式及び／又は構造で具現される本発明の原理の適用を通じて満たされる。
【課題を解決するための手段】
【００１１】
デジタルシリアルバスポートを有するテレビ装置により、ユーザが、テレビ装置のシリアルバスポートを介してテレビ装置に接続されたデジタルシリアルバス準拠の構成要素及びテレビ装置のデジタルチューナのような、ユーザ指定のデジタルコンテンツソース入力からデジタルコンテンツを表示し、ユーザ指定のデジタルコンテンツソースから、デジタルシリアルバスポートを介してテレビ装置に接続されたデジタル記録装置にデジタルコンテンツを連続して記録することが可能になる。
【００１２】
１つの形式では、本発明は、デジタルシリアルバスポートを有するテレビ装置を動作する方法を提供する。その方法は、（ａ）デジタルシリアルバスポートを介してテレビ装置に接続された指定のビデオ入力ソース装置のユーザ選択を受信し、（ｂ）ユーザ選択に応じて、デジタルシリアルバスポートを介してテレビ装置に接続されたデジタル記録装置に対して、指定のビデオ入力ソースからデジタルコンテンツを連続して記録させることを有する。
【００１３】
他の形式では、本発明は、テレビ装置を提供する。テレビ装置は、（ａ）テレビ装置のデジタルシリアルバスポートを介してテレビ装置に接続された指定のビデオ入力ソース装置のユーザ選択を受信する手段と、（ｂ）ユーザ選択に応じて、デジタルシリアルバスポートを介してテレビ装置に接続されたデジタル記録装置に対して、指定のビデオ入力ソースからデジタルコンテンツを連続して記録させる手段とを有する。
【００１４】
このテレビ装置は、画面上メニューを介して可能になると、好ましくは所定のブロックサイズで、テレビ装置のデジタルチューナから、テレビ装置のデジタルシリアルバスポートに接続されたハードディスクドライブ構成要素へのデジタルコンテンツの連続記録を提供するＰＶＲモードを有する。デジタルコンテンツは、“ループ”式にハードディスクドライブにバッファされる。従って、ユーザがテレビ装置のチューナのデジタルチャンネルに同調するときには常に、ハードディスクドライブはその表示を可能にすることに加えて、データの記録を行う。データが所定のバッファサイズを充填すると、バッファの前のデータを上書きし始め、それにより記録をループにする。
【００１５】
更に、テレビ装置は、デジタル入力ソースとして指定されると、そのデジタルバスポートを介してテレビ装置に接続されたデジタルシリアルバス準拠の構成要素からデジタルコンテンツの表示及び連続記録を提供するように動作可能である。これは、ピア・ツー・ピア接続を介して実現される。テレビ装置は、記録可能なデジタルシリアル準拠の装置（例えばＩＥＥＥ１３９４準拠の衛星又はケーブルボックス）とデジタルシリアルバス準拠のハードディスクドライブレコーダ構成要素（例えばＡＶＨＤＤ）との間での直接の接続を起動する。テレビ装置は、２つの装置の間のデータ交換に関与しないが、依然として各装置の制御を行うことができる（例えば、衛星／ケーブルボックスでのチャンネル変更の発行、ハードディスクドライブレコーダ構成要素での記録の開始／終了）。
【発明を実施するための最良の形態】
【００１６】
本発明の前記及び他の特徴及び目的並びにそれらを実現する方法は、添付図面と共に検討される本発明の実施例の以下の説明を参照して理解される。
【００１７】
対応する参照符号は、複数の図面を通じて対応する部分を示す。図面は本発明の実施例を示すが、図面は必ずしも縮尺通りではなく、本発明をよく例示及び説明するために、特定の機能が誇張されることがある。ここに示す例示は、本発明の様々な実施例を示すが、このような例示は決して本発明の範囲を限定するものとして解釈されるべきではない。
【００１８】
ここに記載する実施例は網羅的であることを意図するのではなく、また、当業者がその教示を利用し得るように開示された正確な形式に本発明を限定することを意図するのではない。
【００１９】
図１は、本発明の原理を組み込んだ及び／又は本発明の原理に従って動作可能な例示的なシステム２０を示している。例示的ではあるが、システム２０は、本発明の原理に従って動作可能なシステム及び／又はテレビ装置の多くの物理的な実施例を示している。
【００２０】
図１のシステム２０は、一般的なテレビ装置と一致する基本的な機能及び／又は特徴と、本発明の原理に従ってここに説明する機能／特徴とを有するテレビ装置２２を有する。従って、テレビ装置２２は、テレビ２２に利用可能な様々な入力ソースから、デジタルテレビ信号やデジタルオーディオ／ビデオ（Ａ／Ｖ）コンテンツ等（併せてデジタルコンテンツという）と、アナログテレビ信号やアナログオーディオ／ビデオ（Ａ／Ｖ）コンテンツ等（併せてアナログコンテンツという）とを処理するように動作可能であり、構成され、及び／又は適合される。しかし、テレビ装置２２はデジタルコンテンツのみを処理してもよい。
【００２１】
コンテンツを処理して再生することに加えて、テレビ装置２２はまた、特に画面上メニュー用のテキストやグラフィックや画像等、及び／又は本発明の原理によるメッセージ等を表示するように構成され、適合され、及び／又は動作可能である。テレビ装置２２はまた、テレビ装置２２を制御し、当該技術分野に既知のメニュー選択やテレビ初期設定等のユーザ選択の様々なインタラクティブ及び／又は非インタラクティブメニューにアクセスするために、ユーザ入力を受け入れる。テレビ装置２２は、ユーザ入力及び／又はテレビシステム信号に応じて、１つ以上のメニュー又はユーザ選択可能オプションを表示し、ユーザ選択／オプションのユーザ選択（特にテレビモード（ここで説明するＰＶＲモード等）の選択、テレビ装置２２に接続されたデジタルコンテンツレコーダへのそのデジタルコンテンツを記録するための、テレビ装置２２への指定のデジタルコンテンツ入力ソースの選択）及びデジタルコンテンツレコーダの選択について、ユーザ入力を受け入れるように更に動作可能である。
【００２２】
テレビ装置２２は、ディスプレイ２４と、ここに記載する方法で機能するテレビ信号処理及び特徴／機能制御ユニット２８とを有する。テレビ装置２２は、ユーザ起動の入力信号を遠隔制御信号受信機４２に送信する遠隔コントローラ４０を介して、ユーザ入力を受け入れる。リモコン／遠隔受信機４０／４２は、ＩＲ、ＲＦ又は他の送信手段を利用してもよい。遠隔コントローラ４０は、メニューオプション又は選択に関して入力を提供するために使用されると共に、チャンネル変更入力や音量制御入力や転送コマンド入力や設定入力等に限定されず、このような一般的な遠隔機能のために使用される。
【００２３】
テレビ装置２２はまた、ディスプレイ２４に画面上メニューを提供するために必要なグラフィックやテキストなどを提供するように動作可能な画面上ディスプレイ（ＯＳＤ：ｏｎ−ｓｃｒｅｅｎ  ｄｉｓｐｌａｙ）生成器２６を有する。テレビ装置２２はまた、ＭＰＥＧ２デジタル信号のようなデジタルテレビ信号を処理するように動作可能であり、構成され、及び／又は適合されたテレビ信号処理２８を有する。テレビ装置２２がアナログテレビ信号をサポートする場合には、テレビ信号処理２８はまた、アナログテレビ信号処理をも提供してもよい。テレビ信号処理２８はまた、様々なテレビ装置の構成要素のテレビ装置の制御を提供する。テレビ装置２２は、プログラム命令２３を格納するメモリ３０を更に有する。プログラム命令３２は、本発明に従ってテレビ装置２２を動作するためにテレビ装置２２（すなわち、テレビ処理２８及びデジタルシリアルバス処理３８）により使用される。
【００２４】
テレビ装置２２は、チューナブル・デジタルコンテンツソース４８からデジタルコンテンツを受信するように動作可能なチューナ３４を有する。更に、テレビ装置２２は、１つ以上のデジタルシリアルバス（ＤＳＢ：ｄｉｇｉｔａｌ  ｓｅｒｉａｌ  ｂｕｓ）準拠の装置又は構成要素と接続及び通信するためのデジタルシリアルバスポート３６を有する。デジタルシリアルバス準拠の装置又は構成要素は、ハードディスクドライブ４７やデジタル衛星又はケーブルボックス４４等を有するデジタル記録装置４６でもよい。１つのデジタル記録装置及び１つのデジタルコンテンツソースのみが図示されているが、１つより多くの各装置又はいずれかの装置が存在してもよいことがわかる。
【００２５】
衛星／ケーブルボックス４４は、ユーザにより選択可能な１つ以上のデジタルシリアルバス準拠のデジタルコンテンツソースを表す。デジタル記録装置４６は、ユーザにより選択可能な１つ以上のデジタルコンテンツ記録装置を表す。
【００２６】
本発明の原理によれば、テレビ装置２２は、ＰＶＲ機能を提供するパーソナルビデオレコーダ（ＰＶＲ：ｐｅｒｓｏｎａｌ  ｖｉｄｅｏ  ｒｅｃｏｒｄｅｒ）モードを有する。特に、ユーザにより可能になると、テレビは、ユーザ選択のデジタルビデオコンテンツソースからのデジタルビデオコンテンツをディスプレイ２４に表示することを提供すると共に、ユーザ選択のデジタルビデオコンテンツレコーダ４６へのデジタルビデオコンテンツソースからのデジタルビデオコンテンツの連続記録を提供する。記録装置４６は、Ｉｎｄｉａｎａ州のＩｎｄｉａｎａｐｏｌｉｓのＴｈｏｍｓｏｎ，  Ｉｎｃ．により製造されているＤＶＲ１０のようなオーディオ／ビデオ・ハードディスクドライブユニット（ＡＶＨＤＤ）であることが好ましい。従って、ユーザが選択された入力ソースからデジタルコンテンツを視聴している間に、同じデジタルコンテンツは記録装置４６に記録される。記録装置４６は視聴のためにユーザにより選択されてもよい。
【００２７】
本発明の原理によれば、デジタルビデオコンテンツは、所定量（所定のブロックサイズ）まで記録装置４６にバッファされる。ＰＶＲ機能が可能になると、デジタルビデオコンテンツは記録装置のハードディスクにバッファされる。このデータが所定のバッファサイズを充填すると、バッファの前のデータを上書きし始め、それにより記録をループにする。初期設定では、チューナからのデジタルコンテンツは記録装置に連続して記録される。しかし、入力ソースが入力ソースに変更すると、前のバッファが終了し、現在選択されているソース装置からのデジタルコンテンツがバッファされる。
【００２８】
本発明によれば、テレビ装置は、記録装置と記録可能装置（例えばケーブルボックス）又は入力信号ソースとの間の直接の接続を起動してもよい。従って、テレビ装置は、ユーザ選択のデジタルビデオコンテンツソースとデジタル記録装置との間のピア・ツー・ピア接続を確立する。テレビ装置は、２つの装置の間のデジタルビデオコンテンツの交換に関与する必要はないが、それへの制御コマンドを提供してもよい。
【００２９】
デジタルシリアルバスはＩＥＥＥ１３９４デジタルシリアルバスであり、周辺装置（すなわち、デジタル衛星／ケーブルボックス４４及びデジタル記録装置４６）はＩＥＥＥ１３９４準拠の装置であることが好ましい。従って、処理要素３８は、ＩＥＥＥ１３９４処理を実行する。従って、テレビ装置２２は、ＩＥＥＥ１３９４準拠の記録可能装置とＩＥＥＥ１３９４準拠の記録装置との間の接続を確立することにより、ＩＥＥＥ１３９４バスでＰＶＲ機能を提供する。
【００３０】
図２は、ケーブル／衛星ボックス２０２がＴＶチューナ（デジタルコンテンツ入力ソース）である場合を示している。テレビ装置２０４は、ＩＥＥＥ１３９４準拠のケーブル／衛星ボックス２０２とＡＶＨＤＤ２０６との間でピア・ツー・ピア接続を確立する。ＥＩＡ−９３１−Ａの矢印はＩＥＥＥ１３９４接続を示しており、ＩＥＣ−６１８８３の矢印はオーディオ／ビデオ装置デジタルインタフェースプロトコルを示している。
【００３１】
図３は、ケーブル／衛星ボックス３０２がＰＶＲモードのＴＶデジタルコンテンツ入力ソースである場合を示している。この原理に従って、テレビ装置３０４は、ＩＥＥＥ１３９４準拠のケーブル／衛星ボックス３０２とＡＶＨＤＤ３０６との間でピア・ツー・ピア接続を確立する。ＩＥＣ−６１８８３の矢印は、ＡＶＨＤＤ３０６とテレビ装置３０４との間のオーディオ／ビデオ装置デジタルインタフェースプロトコルを示している。
【００３２】
図４は、ケーブル／衛星ボックス４０２がＰＶＲモードのＴＶチューナ（デジタルコンテンツ入力ソース）である場合を示している。この原理に従って、テレビ装置４０４は、ＩＥＥＥ１３９４準拠のケーブル／衛星ボックス４０２とＡＶＨＤＤ４０６との間でピア・ツー・ピア接続を確立する。ＩＥＣ−６１８８３の矢印は、ＡＶＨＤＤ４０６とテレビ装置４０４との間のオーディオ／ビデオ装置デジタルインタフェースプロトコルを示している。ＥＩＡ−９３１−Ａの矢印は、テレビ装置４０４とケーブル／衛星ボックス４０２との間のＩＥＥＥ１３９４接続を示している。
【００３３】
以下の説明は、このＰＶＲモードの動作上の詳細を提供する。この説明は、本発明によるテレビ装置のＰＶＲモードの例示的な機能を示すことがわかる。
【００３４】
［１］接続されたＡＶＨＤＤでの疑似ＰＶＲモードを生成するために、記録が開始されたときだけでなく、デジタルソースコンテンツ（地上波ＡＴＳＣ／デジタルケーブル）の連続出力（例えば双方向ＩＥＥＥ１３９４）がサポートされるべきである。
【００３５】
［２］ＴＶ装置は、デジタルチャンネルを連続して記録することにより、ＡＶＨＤＤに一時的な“生ＴＶ”バッファを生成する（“高連続記録”の選択で“記録装置”のＴＶメニューの機能が可能になっている場合（この部分での要件は“ＰＶＲモード”が“オン”であることを仮定する））。
【００３６】
［３］最大の一時的な“生ＴＶ”バッファサイズは、約３．５時間のＡＴＳＣである。従って、ＴＶ装置はサイズについてドライブに問い合わせ、十分に残っている場合には、ＴＶ装置は約３０．５ＧＢ（３．５時間のＡＴＳＣの全ストリーム）を取得する。小さい場合には、ＴＶ装置は残っているものを全て取得する。ＴＶ装置が取得する空間量は一定である。すなわち、その空間に適合し得る記録時間量はビットレートに依存する（例えば、３０．５ＧＢでは、何時間もの４８０ｉ  ＡＴＳＣデータから１．７５時間の２５６ＱＡＭ素材までになる）。
【００３７】
［４］最小の一時的な“生ＴＶ”バッファの制限は存在しない。
【００３８】
［５］ユーザが接続して選択してＰＶＲモードが“オン”であるときに、装置が既にいっぱいである場合、警告パネルが表示され、それにより、ユーザは何らかの空間を解放するまでＰＶＲモードが利用できないことを認識する。
【００３９】
［６］ユーザは全ディスクをいっぱいにすることを許容されており、その場合、“いっぱいのディスク”の警告パネルが現れる。
【００４０】
［７］ＴＶが最初にオンになると、ＴＶは“記録装置”の画面で初期設定の記録装置の設定への接続を確立する（ユーザがその画面で“高連続記録”を選択して、ＰＶＲモードを有効にする場合）。
【００４１】
［８］記録を最初に押下した後に、終了を押下することにより、永続的なトラックとしてビデオが保存され、新しい“バッファトラック”が“生”の時間に開始する。
【００４２】
［９］記録の次に終了を押下することにより、全体の一時的なビデオバッファが永続的なトラックとして保存される。これは、ユーザが記録を押下する前に一時バッファに記録されたビデオ（すなわち、ユーザがデジタルチャンネルに同調したときからユーザが記録を押下したときまでに一時バッファに記録されたビデオ）と、終了後のデータのないＸの時間量（空間が事前に割り当てられなければならないため）とを含む。電子番組ガイド（ＥＰＧ：Ｅｌｅｃｔｒｏｎｉｃ  ｐｒｏｇｒａｍ  ｇｕｉｄｅ）の起動の記録は、ＴＶがＡＶＨＤＤに事前に割り当てないときに、番組を記録するために必要な空間のみを消費するという点で、クリーンである。
【００４３】
［１０］一時的な記録バッファがその事前に割り当てられた空間の終了に記録することを許容されている場合、バッファ（トラック）の始まりは新しいビデオコンテンツで上書きされる。
【００４４】
［１１］記録が押下されたときに、一時バッファが開始したビデオの位置（すなわち、デジタルチャンネルが同調された時間）は、トラックの始まりとしてマークされる。
【００４５】
［１２］ハードディスクが“一時的にバッファ中”であり、ユーザがＩＥＥＥ１３９４入力に同調し、ユーザが（記録を最初に押下せずに）終了を押下した場合、終了コマンドは無視される。
【００４６】
［１３］ハードディスクが“一時的にバッファ中”であり、ユーザがＴＶ装置のＩＥＥＥ１３９４入力に同調せず、ユーザが（記録を最初に押下せずに）終了を押下した場合、終了コマンドはユーザをＰＶＲモード（すなわちハードディスク入力）にしない。すなわち、終了は無視される。
【００４７】
［１４］アナログチャンネルのＥＰＧ起動の記録が処理中であり、ユーザが転送キーを押下した場合、ＰＶＲモードはアナログチャンネルに適用しないため、ＶＲモードは起動しない。
【００４８】
［１５］リモコンがＴＶモードであり、ＴＶがデジタルチャンネルに同調し、“有効転送キー”が押下された場合、ＴＶは“ＰＶＲモード”になる。
【００４９】
［１６］リモコンがＴＶモードであり、ＴＶがアナログチャンネルに同調し、“有効転送キー”が押下された場合、ＴＶは何もしない（記録が選択されたときを除く）。
【００５０】
［１７］リモコンがＴＶモードであり、ＴＶがアナログチャンネルに同調し、記録が押下された場合、Ｇ−ＬＩＮＫ記録が開始するが、初期設定のデジタル記録装置への自動同調は生じない。
【００５１】
［１８］アナログチャンネルを視聴しているときに、転送キーを押下することにより、初期設定のデジタルレコーダ（すなわち、ＰＶＲモード）への自動同調は生じない。
【００５２】
［１９］デジタルチャンネルのＰＶＲモードを可能にする“有効転送キー”は、早送り、記録、巻き戻し、一時停止、左矢印（７秒戻る）、右矢印（３０秒進む）及びＯＫ（生）として定義される。
【００５３】
［２０Ｂ］転送キー及び左／右キーは、ＴＶがライン入力に同調しているときではなく、チューナに同調しているときにのみ自動同調する。
【００５４】
［２１］再生及び終了は決してＰＶＲモードを可能にしないが、初期設定のデジタルレコーダに渡される。
【００５５】
［２２］“ＰＶＲモード”は、ＤＶＣＲがＡＶＨＤＤでなくても、［ユーザが自動時間シフトのビデオバッファ格納を可能にするように選択した］“記録装置の画面で選択された初期設定の記録装置が接続されている入力へのＴＶの“自動同調””として定義される。
【００５６】
［２３］選択された転送キーが状況に“完全に”当てはまらない場合（例えば、既に生のときでの早送り、既に生のときでの右矢印、既に生のときでのＯＫ（生）、再生が生より３０秒未満の遅れのときでの右矢印、バッファに７秒未満が格納されているときでの左矢印）、ＰＶＲモードが依然として可能になり、再生アイコンに表示の直後に転送ボタンのアイコンは依然として表示され、一時バッファのコンテンツを再生する。
【００５７】
［２４］どのようにチャンネルが同調されるかはＰＶＲモードで処理される。生ＴＶを視聴しているときに、ＴＶは連続バッファモードであり＞転送キーを押下し＞ＴＶは初期設定の記録ＩＥＥＥ１３９４装置に切り替えてＰＶＲモードを開始し＞ユーザはＰＶＲモードで他の転送コマンドを実行可能であり＞ＣＨ＋／−は現ストリーム（主チャンネル）のサブチャンネルに進み、同調に大きな遅延はなく＞最後のサブチャンネルでＣＨ＋／−を押下することは次の主チャンネルに進み、そのＩＥＥＥ１３９４入力に留まり（同調はサブチャンネルの同調より例えば２−３秒長くてもよく、ＰＶＲモードでないものより長い同調時間でもよい）＞次の主又はマイナーチャンネルに同調することは一時バッファをフラッシュする。
【００５８】
［２５］ＰＶＲモードでは、ＣＨ＋／−は次のデジタルサブチャンネル又は主チャンネルにのみ同調する。ＰＶＲモードでは、アナログチャンネルは同調しない（すなわち、スキップされる）
［２６］ＰＶＲモードのときにＴＶチューナからコンテンツを視聴しており、ユーザがリモコンの数字キーパッドでアナログチャンネル番号を入力すると、ＴＶはＰＶＲモードを終了し、要求のアナログチャンネルをＴＶチューナに表示する。
【００５９】
［２７］ＴＶチューナ又はＩＥＥＥ１３９４装置のようなケーブルボックスを視聴しており、ＴＶがＰＶＲモードであり、ユーザがリモコンの数字キーパッドでデジタルチャンネル番号を入力すると、ＴＶはＰＶＲモードに留まり、要求のデジタルチャンネルを表示する。
【００６０】
［２８］ＣＨ＋／−は常に次のサブチャンネルに同調する（及び一時バッファをクリア（“フラッシュ”）する）。
【００６１】
［２９］ユーザがＰＶＲモードを起動し、番組が“コピー禁止”放送フラグが“添付”している場合（又は他の形式のコピープロテクションである場合）、番組は一時的にバッファされず、“記録不可能”の警告パネル（ＴＶのどこかで使用される）：“この番組はコピープロテクトされているため、記録できません。継続する”が現れる。
【００６２】
［３０］一時バッファに７秒未満が存在するときに左矢印を押下することは、ビデオを一時バッファの始まりまで戻し、再生を開始する。
【００６３】
［３１］一時バッファの始まりへの巻き戻し／リバースは、巻き戻しを終了し、ＡＶＨＤＤに対して一時バッファの始まりからビデオを再生し始めさせる。
【００６４】
［３２］ＴＶのオフ（スリープタイマを介したものを含む）は、何らかの記録を終了まで継続させ、記録が予定されていない場合、ＴＶはオフになり、一時バッファはクリアになる。
【００６５】
［３３］ＴＶがロックされているときにユーザが巻き戻し／早送り（又はバッファを転送する他の方法）を行うと、ビデオが再生されているときにレーティングのみしか監視できないため、オーディオ＋ビデオ＋ＣＣをブランクにする。ユーザがビデオの再生を再開すると、レーティング検査が行われ、必要に応じてオーディオ＋ビデオ＋ＣＣがブランクになり、“この番組のレーティングはブロックされている”というＯＳＤが表示される。
【００６６】
［３４］その番組／ソースにペアレンタル制御ブロックが存在していても、ＡＶＨＤＤは記録する（ＴＶがロックされていても、番組の記録を可能にする。ＴＶがオフでありＴＶをロック解除する人が存在しないときに、ＴＶが時間設定の記録を行うために必要になる）。
【００６７】
［３５］ＴＶのチューナのみ（及びＩＥＥＥ１３９４入力以外に入力がないこと）が一時バッファ及びＡＶＨＤＤへの記録に利用可能である。
【００６８】
［３６］“生に進む”のスピード：ＯＫボタンはユーザを“リアルタイム”のビデオにする（すなわち、ビデオはもはや遅延しない）。
【００６９】
［３７］ＯＫキーは“ＰＶＲモード”に自動同調し、チューナでのみ生にする（すなわち、チューナから記録している場合でも、ライン入力を視聴している場合に同調しない）。
【００７０】
［３８］前に記録された番組を再生しているときに、生の機能は無視される。
【００７１】
［３９］３０秒未満だけ遅延したビデオを視聴している場合、右矢印の押下は、（許可せずに、生に進むためにユーザに早送りを使用するようにさせる代わりに）生のビデオに進む。
【００７２】
［４０］ＥＰＧ又はメニューの起動は、再生又は連続記録バッファの位置を妨害しない。すなわち、遅延したＴＶを視聴しているときに、ガイドを押下することは、ガイドを表示するが、ＥＰＧで遅延した番組を生にジャンプしない。
【００７３】
［４１］遅延したＴＶを視聴しており（例えば８−９ＰＭのショーを“８：１１”に視聴する）、番組がその予定の記録を終了したときに、ＡＶＨＤＤは生にジャンプしない。ちょうどその場所に留まる。
【００７４】
［４２］一時バッファに７秒未満だけ存在するときに左矢印を押下することは、ビデオを一時バッファの始まりまで戻し、再生を開始する。
【００７５】
［４３］トリックモード動作は、デジタル記憶媒体に記録された完全なトランスポートストリームの一部として記録されたプライマリサブチャンネルと非プライマリサブチャンネルとの双方について“通常通り”動作する。
【００７６】
［４４］デジタル装置へのデジタルチャンネルの記録が進行中であり、ユーザが有効転送キーを押下すると、ＰＶＲモードはデジタルチャンネルのみに当てはまるため、ＰＶＲモードが起動する。
【００７７】
［４５］デジタルチャンネルのＴＶガイドの記録が進行中であり、ＴＶがＰＶＲモードであり、ユーザが記録を押下した場合、ハードディスクは既に記録しているため、ハードディスクは記録コマンドを無視する。
【００７８】
［４６］デジタルチャンネルのＴＶガイドの記録が進行中であり、ＴＶがＰＶＲモードであり、ユーザが終了を押下した場合、ハードディスクはＩＥＥＥ１３９４の記録を終了する。それに対して、ガイド指定の番組終了時間までＧ−ＬＩＮＫの記録（アナログＶＣＲでのオーディオ／ビデオ出力）は継続し、終了はＧ−ＬＩＮＫの記録に影響を与えない。
【００７９】
［４７］デジタルチャンネルのＴＶガイド起動の予定のＩＥＥＥ１３９４記録が開始すると、連続バッファがフラッシュ（クリア）され、記録が予定の時間に開始する。すなわち、ユーザはＴＶガイド起動の予定の記録の開始前に存在していたものをバッファに記録する選択肢を有さない。
【００８０】
［４８］ＴＶが転送キー通過を有さない入力（例えば、ＤＶＣＲ接続の入力はＤＶＣＲ通過を有する；ベースバンド入力は転送キー通過を有さない）に同調し、ユーザが転送キーを押下すると、ＴＶはＰＶＲモードになり、最後のＰＶＲ装置及びデジタルチャンネルを表示する。
【００８１】
［４９］ＴＶがＰＶＲモードであり、ＴＶが永続的な記録を再生しているときにのみ、上矢印及び下矢印はトラックを変更する。
【００８２】
［５０］上矢印及び下矢印キーは、“ＴＶチューナモード”（例えばＤＶＲ１０  ＡＶＨＤＤを視聴していないとき）又は“記録不可能な１３９４入力モード”で動作しない。
【００８３】
［５１］記録が可能になるように現在接続／表示されている装置のピア・ツー・ピア接続を行うときに、ビデオはピア・ツー・ピア接続に対してＴＬ９４５を通過しないため、ＰＩＤフィルタリングはサポート不可能である。
【００８４】
［５２］ＰＶＲモードの間に、“オーバーシュート訂正”はユーザの反応時間を補う。巻き戻し又は早送りのときに、再生が押下される時間に適用される訂正は、転送が進む速度に正比例する（すなわちＡＶＨＤＤは少しバックアップする）。
【００８５】
［５３］ＩＥＥＥ１３９４再生モードのときに、ユーザがリモコンの数字キーを押下すると（すなわち直接のチャンネル入力）、その“直接入力”のサブチャンネルが同調される。入力されて存在しないチャンネルは無視される。
【００８６】
［５４］ＰＶＲモードのときに、ユーザが（真の）生に戻ろうとすると、アンテナ（ＡＮＴ−ＣＡＢ）キー（又は戻る）を押下し、チューナに戻る。ユーザがこれを行ったときにバッファはフラッシュされない。
【００８７】
［５５］ピア・ツー・ピアのＰＶＲモードのときに（ＡＶＨＤＤからケーブルボックスの再生を視聴しているときに）、自動同調を設定することにより（この場合には、バッファはフラッシュされない）、又は全ソース及び装置を循環してケーブルボックスに戻るために入力キーを使用することにより（この場合には、ＴＶ装置がＰＶＲモードを起動する何らかの装置を通過する場合、バッファはケーブルボックスに戻る途中に場合によってはフラッシュされてもよい）、ユーザはケーブルボックス装置にのみ戻ることができる。
【００８８】
［５６］ＴＶ装置がピア・ツー・ピアのＰＶＲモードであり（ＡＶＨＤＤからケーブルボックスの再生を視聴している）、ユーザが永続的な記録を開始したが、まだ終了がマークされておらず、ユーザがケーブルボックス装置に戻ろうとすると、ＴＶは“チャンネル変更の警告”を提供する。
【００８９】
［５７］ピア・ツー・ピア記録を行っており（永続的又はＰＶＲであるがソースを視聴している）、ユーザが入力を記録可能装置に切り替えると、他のＩＥＥＥ１３９４装置又はチューナへの切り替えの結果は、存在していたピア・ツー・ピア接続が切断することになる。
【００９０】
［５８］ユーザがチューナを視聴しており、入力切り替えでＰＶＲ装置に戻ろうとすると、記録不可能なＩＥＥＥ１３９４装置を押下するとすぐに、ＴＶ装置はこの装置でＰＶＲモードを開始しようとする。
【００９１】
［５９］自動同調する転送キーの押下は、ＰＶＲモードにアクセスする唯一の方法ではない。ユーザはＰＶＲ装置に進むために入力を使用してもよく、その場合、ＰＶＲ装置は最後のＴＶチューナ又は記録不可能なＩＥＥＥ１３９４チューナ（例えばＩＥＥＥ１３９４ケーブルボックス）を表示する。
【００９２】
［６０］（連続バッファからの永続的な記録を開始するために）ユーザがＰＶＲモードの間に記録を押下し、その記録点が上書きされるのに十分なデータを視聴し続けると、この点に到達したときに、ＴＶは記録を終了して全バッファを保存する。
【００９３】
［６１］シナリオ：ドライブに１時間が残っており、ユーザが４５分をバッファし、４５分の一時バッファを永続的な記録に変換したいという理由で記録を押下し、終了を押下すると、警告パネルが表示される。警告パネルを表示した後に、３０分の一時的な連続バッファからの空間を全く犠牲にせずに提供に利用可能なもののみまで、バッファの始まりに永続的に書き込む。
【００９４】
［６２］何らかのメニューにより、ユーザはメニューの中の入力（画像設定メニュー等）に切り替えることができる。（ユーザ入力がメニューのＩＥＥＥ１３９４に戻り、選択されている装置がＩＥＥＥ１３９４ケーブルボックスである場合）これらの場合、現在のＰＶＲソースを変更しない。この場合、ＴＶ装置がメニューを入力した装置（すなわちチューナ）でＰＶＲを継続する。
【００９５】
［６３］ユーザが信号ソースメニューを変更すると、ユーザがメニューをオンにしたものと異なるＰＶＲ可能装置でメニューをクリアした場合にのみ、ＴＶは現在のＰＶＲソースを切り替える。
【００９６】
［６４］ＰＶＲ機能がオフになり、ＡＶＨＤＤが視聴されており、ユーザがＰＶＲ機能をオンにすると、ＡＶＨＤＤは最後に使用されたチューナをバッファし始める。
【００９７】
［６５］ＡＶＨＤＤが“ＰＶＲモード”であるが、予め記録されたトラック（例えばトラック６）を視聴しており、ユーザがＣＨ＋／−を押下すると、ＡＶＨＤＤはそのトラック内のチャンネルに同調し、開始時又は終了時に次のチャンネルに循環することが生じる。
【００９８】
［６６］ＩＥＥＥ１３９４ケーブルボックスからＤＶＲへの永続的な（Ｐ２Ｐ）記録が終了すると、ＴＶはＤＶＲに留まり、２つの装置の間で連続記録を開始する。
【００９９】
［６７］ＴＶ装置が現在記録を行っており、ユーザが異なる装置で永続的な記録を試みると、その異なる装置での記録が始まり、ＴＶ装置が既に行っている前の記録を終了する。“異なる装置”では、ＴＶ装置は最後に同調したソースを記録している。
【０１００】
［６８］記録が行われておらず、ＴＶ装置が現在の記録に設定し、ユーザが初期設定の装置以外の装置に切り替えて記録を押下すると、ＴＶ装置はオンにした最後のＰ２Ｐ措置又はチューナから記録する。
【０１０１】
更に、本発明の例示的なメニューの特徴及び／又は機能について以下に説明する。これらの説明は、テレビ装置のＰＶＲモードの例示的な機能を示しており、“リスト”フォーマットで提示される。
【０１０２】
［１］“記録装置”画面は、（１つより多い場合に）何の転送可能装置がＩＥＥＥ１３９４ネットワークで発見されたかをＴＶに通知し、ＩＥＥＥ１３９４装置が現在同調されていない場合に転送コマンドを送信するために使用される画面である。
【０１０３】
［２］“記録”装置画面は、デジタルチャンネル又は入力を視聴しているときに、（“ＰＶＲ（Ｐｅｒｓｏｎａｌ  Ｖｉｄｅｏ  Ｒｅｃｏｒｄｅｒ）モード”のセクションで規定された）有効転送ボタンがＴＶモードのリモコンで押下されたときに自動同調されるＩＥＥＥ１３９４記録装置（例えばＨＤＤ）を指定する。
【０１０４】
［３］この画面で、ＩＥＥＥ１３９４記録ができる発見されたＩＥＥＥ１３９４装置（例えばＡＶＨＤＤ及びＤ−ＶＨＳ）のみが選択肢フィールドに表示される。
【０１０５】
［４］記録可能ＩＥＥＥ１９３４装置が検出されると、前に以下の文字列を備えた選択肢フィールドが表示される。
“デジタル番組を試聴している間に記録が押下されたときに何のデジタル装置に記録するべきかを選択してください。”
［５］記録可能ＩＥＥＥ１３９４装置が検出されると、以下のラジオボタンリストが現れる。
“Ｙｅｓ／Ｎｏ”の選択肢に続いてテキストヘッダ：“前記の装置での機能レベルを選択してください。”
［６］３つのラジオボタンの選択肢は、以下の通りである。
“初期設定の記録装置として使用する（ＤＶＣＲが初期設定の装置である場合に最適の選択肢である）。”
“初期設定の記録装置として使用し、記録が押下されたときにその装置にＴＶを自動同調する（連続ビデオバッファを希望しない場合に最適である）。”
“デジタル番組を連続してバッファし、何らかの転送キーが押下されたときにその装置にＴＶを自動同調する（時間シフトの番組（例えばＡＶＨＤＤでの一時停止）に最適である）。”
［７］リストから“低”の選択肢を選択することは、何らかの転送キーで初期設定の記録装置に自動同調しない。依然として記録は初期設定の記録装置に渡される。
【０１０６】
［８］リストから“中”の選択肢を選択することは、記録ボタンで初期設定の記録装置のみに自動同調することを可能にする。記録は初期設定の記録装置に渡される。
【０１０７】
［９］リストから“高”の選択肢を選択することは、何らかの転送キーで初期設定の記録装置に同調することを可能し、装置は初期設定の記録装置でデジタル番組を連続して記録する（時間シフトバッファに保存する）。
【０１０８】
［１０］発見されたＩＥＥＥ１３９４記録装置が利用可能でない場合、上部の“選択してください”という文字列は現れず、その代わりに以下の文字列（ＦＲＷ＿ＲＣＲＤ＿ＮＯＤＥＶＩＣＥ＿ＳＴＲ）が現れる。
ＴＶは選択可能なＤＴＶリンク記録装置（例えばハードディスクドライブ又はデジタルＶＣＲ）を検出していない。
【０１０９】
［１１］発見されたＩＥＥＥ記録装置が利用可能でない場合、選択肢フィールド及びラジオボタンリストは現れない。
【０１１０】
［１２］１つより多くの発見されたＩＥＥＥ１３９４デジタル記録装置が存在し、ユーザが選択を行っていない場合、装置の形式にかかわらず、初期設定の選択装置は（モデル番号で）“最初”の装置である。
【０１１１】
［１３］唯一の発見されたＩＥＥＥ１３９４デジタル記録装置が存在する場合、それは初期設定の選択装置である（ＡＶＨＤＤ又はＤ−ＶＣＲであるか否かにかかわらない）。
【０１１２】
［１４］ユーザが初期設定のデジタル記録装置を“オフ”に設定した場合、又は初期設定のデジタル記録装置がネットワークに接続されていない場合、ユーザがデジタル又はアナログ番組に同調している間にガイドの外から記録を押下すると、Ｇ−ＬＩＮＫ  ＩＲブラスティング及びビデオ出力を介してＴＶガイド設定で設定されたＶＣＲ（ＴＶガイドの記録初期設定の“宛先”フィールド［ＴＶ  Ｇｕｉｄｅ  ＵＩ  Ｓｐｅｃの８５ページ参照］で選択されたものと同じ装置）に対してアナログ記録が行われる。
【０１１３】
［１５］画面上の装置のリストからユーザが特定の対象の装置を選択すると、後に装置がネットワークから消滅し、有効なコマンドは“リストの最初の装置に進む”。
【０１１４】
［１６］選択された装置が切断されると、ソートされたリストの最初の装置が初期設定の装置になる。前にユーザに選択された装置がオンラインになったとしても、それが初期設定の装置になる。
【０１１５】
［１７］ユーザがＩＥＥＥ１３９４の記録を“オフ”にすると、ラジオボタンリスト及びテキストヘッダは表示されない。
【０１１６】
［１８］装置が“装置選択”の選択肢フィールドで選択されていない場合（すなわち、“オフ”に設定されていない場合）、ラジオボタンフィールドは選択肢フィールドの下に現れる。
【０１１７】
［１９］“記録装置”画面のラジオボタンリストは、“高”に初期設定される。
【０１１８】
［２０］ブートアップ時に１３９４装置が検出されず、ユーザが後にミックスにＡＶＨＤＤを挿入すると、記録装置画面は、次にユーザが開いたときに自動的に更新される。ユーザが記録装置画面に進んで設定していなくても、ＡＶＨＤＤへの記録（ＰＶＲ）が自動的に始まる。
【０１１９】
［２１］ユーザがネットワーク上に装置を有しているが、記録装置画面でＰＶＲの機能をオフにするように選択し、ユーザが新しいＡＶＨＤＤをネットワークに追加すると、スクリーンは“オフ”から新しい装置に変化しない。ユーザがオフを選択すると、その後の新しいＡＶＨＤＤの追加にかかわらずＴＶが引き受ける。
【０１２０】
［２２］ユーザがＤＶＣＲを選択すると、ＵＩは最初の選択肢を選択する（他の２つを選択することを妨げないが、他の２つはＤＶＣＲには無意味である）。ＡＶＨＤＤを選択すると、第３の選択肢を選択することができる。
【０１２１】
［２３］記録装置メニューに変更すると、迅速な効果を有する。すなわち、ユーザがメニューを終了するとすぐに変更が作動する。
【０１２２】
図５を参照すると、この原理に従ったテレビ装置２２の例示的な動作方法のフローチャート（包括的に５００で示す）が図示されている。フローチャート５００は、ＰＶＲモードが可能であることを仮定する。ブロック５０２において、テレビ装置は、（デジタルＴＶチューナ又は１つ以上のデジタルシリアルバス（例えばＩＥＥＥ１３９４）準拠のデジタルコンテンツ周辺機器、構成要素若しくは装置のような様々な利用可能なデジタルコンテンツ入力ソースから）指定のデジタルコンテンツ入力ソースのユーザ選択を受信する。その後ブロック５０４において、テレビ装置は、ユーザ選択に応じて、テレビ装置の指定のデジタルビデオソース入力装置からデジタルコンテンツを表示する。次にブロック５０６において、テレビ装置は、そのデジタルシリアルバスポート（例えばＩＥＥＥ１３９４ポート）の１つを介してテレビ装置に接続されたデジタル記録装置に対して、ユーザ選択に応じて指定のデジタル入力ソースからデジタルビデオコンテンツを連続して記録させる。
【０１２３】
図６を参照すると、この原理に従ったテレビ装置２２の他の例示的な動作方法のフローチャート（包括的に６００で示す）が図示されている。フローチャート６００は、ＰＶＲ機能が可能であることを仮定する。ブロック６０２において、テレビ装置は、テレビ装置のデジタルチューナからのデジタルコンテンツを、選択されたＰＶＲ装置又は初期設定のＰＶＲ装置（すなわちデジタルシリアルバス記録構成要素）に記録させ、また、選択されたデジタルコンテンツソース入力からのデジタルコンテンツをディスプレイに提供する。ＴＶチューナの記録は初期設定モードである。テレビ装置はまた、ユーザがデジタルコンテンツ入力ソースを指定することを可能にする。従って、ブロック６０４はユーザ入力（例えばテレビリモコンからの入力）を提供する。ブロック６０６において、進むべきライン入力（ＬＩＮＥ  ＩＮ）が存在するか否かが決定される。そうである場合（すなわちＹＥＳ）、プログラムフローはブロック６０２に戻る。
【０１２４】
しかし、進むべきライン入力が存在しない場合（すなわちＮＯ）、プログラムフローはブロック６０８に進む。ブロック６０８において、テレビ装置に接続されたＩＥＥＥ１３９４（ＩＥＥＥ１３９４又は他のデジタルシリアルバス）デジタルソース入力が存在するか否かが決定される。存在しない場合（すなわちＮＯ）、プログラムフローはブロック６０２に戻る。テレビ装置に接続された１３９４装置が存在する場合、１３９４装置が記録可能な１３９４装置であるか否かが決定される。そうである場合（すなわちＹＥＳ）、ステップ６１２において、１３９４装置がＰＶＲ装置に記録され、テレビ装置に表示される。その後ブロック６１４において、テレビ装置はユーザ入力を待機する。
【０１２５】
しかし、ブロック６１０のＩＥＥＥ１３９４装置が記録不可能である場合（すなわちＮＯ）、プログラムは、ＩＥＥＥ１３９４装置がＰＶＲ装置であるか否かを決定する。１３９４装置がＰＶＲ装置である場合（すなわちＹＥＳ）、ブロック６１８において、ＰＶＲ装置の再生が表示される。同様に、その後ブロック６１４において、テレビ装置はユーザ入力を待機する。１３９４装置がＰＶＲ装置でない場合（すなわちＮＯ）、１３９４装置が視聴される。同様に、その後ブロック６１４において、テレビ装置はユーザ入力を待機する。
【０１２６】
本発明について好ましい設計を有するものとして説明したが、本発明は、この開示の要旨及び範囲内で更に変更可能である。従って、この出願は、一般的な原理を使用した本発明の何らかの変更、使用及び適用をカバーすることを意図する。更に、この出願は、本発明が保持しており特許請求の範囲内にある当該技術分野で既知又は通常の慣習にあるこの開示からのそのような逸脱をカバーすることを意図する。
【図面の簡単な説明】
【０１２７】
【図１】本発明が具現され得る例示的なシステムの簡略化ブロック図
【図２】本発明の原理に従ったＴＶチューナとしてのＩＥＥＥ１３９４準拠のケーブル／衛星ボックスの使用を示したブロック図
【図３】本発明の原理に従ったＰＶＲモードでのＩＥＥＥ１３９４準拠のケーブル／衛星ボックスの使用を示したブロック図
【図４】本発明の原理に従ったＴＶチューナとしてのＰＶＲモードでのＩＥＥＥ１３９４準拠のケーブル／衛星ボックスの使用を示したブロック図
【図５】本発明の例示的な動作方法のフローチャート
【図６】本発明の他の例示的な動作方法のフローチャート
【図１】
2007511182.tif 000003
【図２】
2007511182.tif 000004
【図３】
2007511182.tif 000005
【図４】
2007511182.tif 000006
【図５】
2007511182.tif 000007
【図６】
2007511182.tif 000008
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
デジタルシリアルバスを介して結合された複数の装置を有するテレビ装置を動作する方法であって、
指定のビデオ入力ソース装置として前記複数の装置のうち第１のもののユーザ選択と、指定のシンク装置として前記複数の装置のうち第２のもののユーザ選択とを受信し、
前記指定のビデオ入力ソース装置と前記指定のシンク装置とにコマンドを送信し、前記指定のビデオ入力ソース装置と前記指定のシンク装置との間にピア・ツー・ピア接続を確立し、それによって、データが前記指定のビデオ入力装置と前記指定のシンク装置との間で直接転送され得ることを有する方法。
【請求項２】
請求項１に記載の方法であって、
前記指定のシンク装置は、デジタル記録装置であり、
前記送信するステップは、前記デジタル記録装置に対して、前記ユーザ選択に応じて前記指定のビデオ入力ソース装置からデジタルコンテンツを記録させることを有する方法。
【請求項３】
請求項２に記載の方法であって、
前記デジタルシリアルバスは、ＩＥＥＥ１３９４準拠のバスを有する方法。
【請求項４】
請求項２に記載の方法であって、
前記デジタル記録装置に対して、前記指定の入力ソース装置としての同調装置のユーザ選択に応じて、前記テレビ装置の同調装置からビデオコンテンツを連続して記録させることを更に有する方法。
【請求項５】
請求項２に記載の方法であって、
前記記録させるステップは、前記デジタル記録装置に対して、前記指定の入力ソース装置としての同調装置のユーザ選択に応じて、前記テレビ装置の同調装置からのビデオコンテンツを前記デジタル記録装置の記憶媒体の所定のバッファサイズに連続して記録させることを有する方法。
【請求項６】
請求項２に記載の方法であって、
前記指定のビデオ信号ソース装置としての前記デジタル記録装置のユーザ選択に応じて、前記テレビ装置の前記デジタル記録装置に格納されたビデオコンテンツを表示するステップを更に有する方法。
【請求項７】
デジタルシリアルバスを介して結合された複数の装置を有するテレビ装置であって、
指定のビデオ入力ソース装置として前記複数の装置のうち第１のもののユーザ選択と、前記テレビ装置に接続された指定のシンク装置として前記複数の装置のうち第２のもののユーザ選択とを受信する手段と、
前記指定のビデオ入力ソース装置と前記指定のシンク装置とにコマンドを生成して送信し、前記指定のビデオ入力ソース装置と前記指定のシンク装置との間にピア・ツー・ピア接続を確立し、それによって、データが前記指定のビデオ入力ソース装置と前記指定のシンク装置との間で直接転送され得る手段と
を有するテレビ装置。
【請求項８】
請求項７に記載のテレビ装置であって、
前記指定のシンク装置は、デジタル記録装置であり、
前記コマンドは、前記デジタル記録装置に対して、前記ユーザ選択に応じて前記指定のビデオ入力ソース装置からデジタルコンテンツを連続して記録させることを有する方法。
【請求項９】
請求項８に記載のテレビ装置であって、
前記デジタルシリアルバスは、ＩＥＥＥ１３９４準拠のバスを有するテレビ装置。
【請求項１０】
請求項８に記載のテレビ装置であって、
前記デジタル記録装置に対して、前記指定の入力ソース装置としての同調装置のユーザ選択に応じて、前記テレビ装置の同調装置からビデオコンテンツを連続して記録させる手段を更に有するテレビ装置。
【請求項１１】
請求項８に記載のテレビ装置であって、
前記記録させる手段は、前記デジタル記録装置に対して、前記指定の入力ソース装置としての同調装置のユーザ選択に応じて、前記テレビ装置の同調装置からのビデオコンテンツを前記デジタル記録装置の記憶媒体の所定のバッファサイズに連続して記録させる手段を有するテレビ装置。
【請求項１２】
請求項８に記載のテレビ装置であって、
前記指定のビデオ信号ソース装置としての前記デジタル記録装置のユーザ選択に応じて、前記テレビ装置の前記デジタル記録装置に格納されたビデオコンテンツを表示する手段を更に有するテレビ装置。
【請求項１３】
ＩＥＥＥ１３９４準拠のバスポートに接続されたテレビ装置を動作する方法であって、
前記ＩＥＥＥ準拠のバスを介して前記テレビ装置に接続された指定のデジタルビデオ入力ソース装置のユーザ選択を受信し、
前記ＩＥＥＥ１３９４準拠のバスを介して前記テレビ装置に接続されたＩＥＥＥ１３９４準拠の記録装置に対して、前記指定のデジタルビデオ入力装置とのピア・ツー・ピア接続を確立させ、前記テレビ装置によるデータの更なる処理を行わずに、前記指定のデジタルビデオ入力ソース装置から前記デジタルコンテンツを連続して記録させることを有する方法。
【請求項１４】
請求項１３に記載の方法であって、
前記ＩＥＥＥ１３９４準拠の記録装置に対して、前記指定のデジタル入力ソース装置としてのデジタル同調装置のユーザ選択に応じて、前記テレビ装置のデジタル同調装置からビデオコンテンツを連続して記録させることを更に有する方法。
【請求項１５】
請求項１３に記載の方法であって、
前記記録させるステップは、前記ＩＥＥＥ１３９４準拠の記録装置に対して、前記指定のデジタル入力ソース装置としてのデジタル同調装置のユーザ選択に応じて、前記テレビ装置のデジタル同調装置からのデジタルビデオコンテンツを前記ＩＥＥＥ１３９４準拠の記録装置の記憶媒体の所定のバッファサイズに連続して記録させることを有する方法。
【請求項１６】
請求項１３に記載の方法であって、
前記指定のデジタルビデオ信号ソース装置としての前記ＩＥＥＥ１３９４準拠の記録装置のユーザ選択に応じて、前記テレビ装置の前記ＩＥＥＥ１３９４準拠の記録装置に格納されたビデオコンテンツを表示するステップを更に有する方法。
【国際調査報告】
2007511182.tif 000009
2007511182.tif 000010
2007511182.tif 000011